(57)【特許請求の範囲】
【請求項１】
フレームに透光性を有した張地を張設して座及び背凭れの少なくとも一方を構成するようにした椅子であって、
前記張地の前記フレームに支持されていない縁部に透明な芯材を取り付けたことを特徴としている椅子。
【請求項２】
前記縁部が袋状のものであり、その縁部内に前記芯材が内蔵されている請求項１記載の椅子。
【請求項３】
前記張地が、メッシュ状のものである請求項１または２記載の椅子。
【請求項４】
前記座が左右の座フレーム間に張地を張設したものであり、前記座の前縁に位置する張地の縁部に前記芯材を設けている請求項１、２または３記載の椅子。
【請求項５】
前記背凭れが左右の背フレーム間に張地を張設したものであり、前記背凭れの上縁に位置する張地の縁部に前記芯材を設けている請求項１、２、３または４記載の椅子。
【発明の詳細な説明】
【技術分野】
【０００１】
本発明は、オフィス等において好適に使用される椅子に関する。
【背景技術】
【０００２】
従来、フレーム間にメッシュ等の透光性を有した張地を張設して座や背凭れを構成した椅子が種々知られている（例えば、特許文献１を参照）。
【０００３】
このようなものにおいて、張地の変形態様に変化を持たせたい場合には、張地の一部のみをフレームに支持させることが考えられる。その際、フレームに支持されていない縁部をそのまま放置しておくと、保形性が損なわれるため、その縁部に芯材を設ける必要が生じる場合もある。ところが、このような構成を採用した場合、張地の見た目が悪くなり、椅子全体の美観が損なわれるという問題があった。
【０００４】
その原因を種々探求した結果、透光性のある張地の縁部に保形性のある一般的な不透明材料により作られた芯材を設けると、その縁部と他の部分とのコントラストが強くなりすぎて、外観的なバランスが崩れてしまい、それが美観悪化の一因となっていることを見いだした。
【０００５】
特に、前記芯材をフレームから機械的に独立させるために芯材を短寸化した場合には、張地の縁部における芯材の存在する部分と芯材の存在しない部分との境界に視覚的な違和感が発生し、特に美観を損ねるということがわかった。
【先行技術文献】
【特許文献】
【０００６】
【特許文献１】特開２００２−１７２０３９号公報
【発明の概要】
【発明が解決しようとする課題】
【０００７】
本発明は、以上のような事情及び究明結果に基づいてなされたもので、芯材の存在により美観が損なわれるという課題を解消できる椅子を提供することを目的とする。
【課題を解決するための手段】
【０００８】
本発明は、以上のような課題を解決するために、次のような構成を採用したものである。すなわち、本発明に係る椅子は、フレームに透光性を有した張地を張設して座及び背凭れの少なくとも一方を構成するようにしたものであって、前記張地の前記フレームに支持されていない縁部に透明な芯材を取り付けたことを特徴とする。
【０００９】
ここで、透光性を有した張地とは、例えば、繊維または合成樹脂製の糸を織成または編成したメッシュ状の張地、あるいは透明なシート体等、着座面である表面側から裏面側に存在するものを視認することができるようなものを含む概念である。
【００１０】
このようなものであれば、芯材を取り付けることによってフレームに支持されていない縁部の保形性を維持しつつも、芯材が透明であるのでその存在により張地の美観及び椅子全体の美観が損なわれるという課題を解消することができる。特に、芯材を短寸化した場合には、従来のものでは、張地の縁部における芯材の存在する部分と芯材の存在しない部分との境界に視覚的な違和感を生じさせていたが、前記芯材が透明であるので、このような違和感をも解消し得る。
【００１１】
また、前記縁部が袋状のものであり、その縁部内に前記芯材が内蔵されていれば、張地の縁部に芯材を直接縫いつける場合に比べて、張地の見た目を良好にすることができる。
【００１２】
特に、張地がメッシュ状のものである場合には、メッシュ状の隙間から張地に取り付けられた芯材を張地越しに視認し得るものであるが、芯材を透明にすることで前記芯材を張地越しに視認する際にも美観を損なわないものとすることができる。
【００１３】
このような芯材を椅子に適用する場合の好適な一態様としては、座が左右の座フレーム間に張地を張設したものであり、前記座の前縁に位置する張地の縁部に前記芯材を設けているものを挙げることができる。
【００１４】
また、好適な他の態様としては、背凭れが左右の背フレーム間に張地を張設したものであり、前記背凭れの上縁に位置する張地の縁部に前記芯材を設けているものを挙げることができる。
【発明の効果】
【００１５】
本発明は、以上のような構成であるから、芯材の存在により美観が損なわれるという課題を解消することができる椅子を提供することができる。
【図面の簡単な説明】
【００１６】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【発明を実施するための形態】
【００１７】
以下、本発明を事務用回転椅子に適用した場合の一実施形態について図１ないし図１４を参照して説明する。
【００１８】
この椅子は、図１に示すように、脚体１と、この脚体１により回転可能に支持された支持基部３と、この支持基部３に支持された座５及び背凭れ７とを具備してなる。
【００１９】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００２０】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２１】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２２】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２３】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２４】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２５】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００２６】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法よりも大きな幅寸法Ｗ１を有したものである。
【００２７】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００２８】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００２９】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００３０】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３１】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３２】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３３】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３４】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３５】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３６】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３７】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００３８】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００３９】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００４０】
以上に述べたように、本実施形態に係る回転椅子は、左右対をなすフレームＦに透光性を有した張地Ｍを張設して座５及び背凭れ７を構成するようにしたものであって、前記張地Ｍの前記フレームＦに支持されていない縁部、換言すれば座張地１７の前縁部Ｍｄ及び背張地２５の上縁部Ｍｅに透明な芯材３９を取り付けているので、それら座張地１７の前縁部Ｍｄ及び背張地２５の上縁部Ｍｅの保形性を維持しつつも、芯材３９が透明であるのでその存在により張地Ｍの美観及び椅子全体の美観が損なわれるという課題を解消することができる。したがって、張地Ｍと前横梁２１または上横梁２９との間に空間１９、２７が存在するため張地Ｍの前縁部Ｍｄ及び張地Ｍの上縁部Ｍｅに保形性及び強度が要求されるが、それらの部分に透明な芯材３９を取り付けることによって、張地Ｍの保形性及び強度を維持することができるものである。
【００４１】
特に、本実施形態における回転椅子においては、前記芯材３９を左右のフレームＦから機械的に切り離して短寸化しているので、従来の椅子において、張地の縁部における芯材の存在する部分と芯材の存在しない部分との境界に生じさせていた視覚的な違和感を解消することができる。言い換えれば、芯材３９が途中で途切れている状態を目立ちにくくすることができる。
【００４２】
特に、張地Ｍがメッシュ状のものであるので、メッシュ状の隙間から張地Ｍに取り付けられた芯材３９を張地Ｍ越しに視認し得るものであるが、芯材３９を透明にすることで前記芯材３９を張地Ｍ越しに視認する際にも美観を損なわないものとすることができる。
【００４３】
また、前記座張地１７の前縁部Ｍｄ及び背張地２５の上縁部Ｍｅを袋状にしており、それらの縁部Ｍｄ、Ｍｅ内に前記芯材３９を内蔵しているので、張地Ｍの縁部Ｍｅに芯材３９を直接縫いつける場合に比べて、張地Ｍの見た目を良好にすることができる。すなわち、座張地１７の前縁部Ｍｄと前横梁２１との間に空間１９が設けられており、背張地２５の上縁部Ｍｅと上横梁２９との間に空間３１が設けられているため、座張地１７の前縁部Ｍｄ及び背張地２５の上縁部Ｍｅは、その張地Ｍの裏面Ｍｂ側が視認可能なものとなっている。しかしながら、張地Ｍがこのようなものであるため、芯材３９が張地Ｍの裏面Ｍｂからも視認されにくくなり、その存在により張地Ｍの美観及び椅子全体の美観が損なわれることがなくなる。また、張地Ｍの縁部Ｍｄ、Ｍｅを袋状にすることで、メッシュ状の張地Ｍの縁部Ｍｄ、Ｍｅにおけるほつれの抑制にもなる。
【００４４】
また、左右対をなすフレームＦ間に張地Ｍを張設しているので、これら左右対をなすフレームＦ間に前横梁２１、上横梁２９及び下横梁３１を介設した状態で張地Ｍに張力を付与しているので、張地Ｍを左右のフレームＦに対応した形状に保形でき、張地Ｍに高い張力を与えることができる。
【００４５】
さらに、前記前横梁２１が、左右両端部２１ｂに左右の座フレーム１５の内側面１５ａに直接的に密接する対をなす取付壁４５を備えたものであり、前記上横梁２９及び下横梁３３が、左右両端部２９ｂ、３３ｂに左右の背フレーム２３の内側面２３ｄに密接する対をなす取付壁５５、６５をそれぞれ備えているので、取付壁４５、５５、６５が左右のフレームＦを外側面Ｆａ側に押圧し、前記張地Ｍに左右方向の張力を付与することができる。そのため、張地Ｍに高い張力を与えることができる。
【００４６】
また、左右の肘掛け８９は、腰部背面に位置する下横梁３３と合わせて一体に成形されており、さらに下横梁３３部分において左右の背フレーム２３をつなぐように、左右の背フレーム２３とそれぞれ縦方向の長手寸法Ｌ４をもって固定されているため、取付強度が高く、使用中に肘掛け８９に荷重がかかってもぐらつくことがない。また、肘掛け無しタイプの椅子との互換性についても、製品の組み立て段階で、肘掛け無しタイプまたは肘掛け付きタイプの下横梁３３を必要に応じて選択して取り付けるだけなので、製品の作り分けが容易である。
【００４７】
なお、本発明は以上に述べた実施形態に限られない。
【００４８】
例えば、前記張地は、メッシュ状のものの他、透明シート等透光性を有するものであれば種々変更可能である。
【００４９】
また、前記座張地の前縁部及び背張地の上縁部は、袋状のものでなく、直接座張地の前縁部または背張地の上縁部に芯材を直接縫いつけるものや、溶着するものであってもよいが、本実施形態に示すように張地の縁部を袋状にすることで、張地の外観及び椅子全体としての外観をより好ましいものとすることができる。また、このような芯材を取り付ける部分は、座張地の前縁部及び背張地の上縁部に限られず、フレームが配される場所またはフレームの形状等によって種々変更可能である。
【００５０】
すなわち、フレームについても、本実施形態では、左右のフレーム間に張設される張地について説明したが、張地の形状または押し込み材の取付位置等種々変更可能である。例えば、フレームについては、左右対をなすフレームには限られず、上下方向のフレーム、上下方向及び左右方向のフレームからなるものであってもよく、さらに、フレームが張地の周囲を囲うように配されるロ字形またはコ字形の枠状のものであってもよい。また、座張地と背張地が一体に形成されるもののみならず、座と背が別体のものであって、座張地と背張地とが別々に配されるものであってもよい。
【００５１】
また、本実施形態は事務用回転椅子について説明したが、これに限られず、回転椅子以外の椅子にも適用することができるものである。
【００５２】
その他、本発明の趣旨を損ねない範囲で種々に変更してよい。
【符号の説明】
【００５３】
Ｆ…フレーム
Ｍ…張地
Ｍｄ、Ｍｅ…縁部（前縁、上縁）
５…座
７…背凭れ
３９…芯材
【図１】
0005424199.tif 000002
【図２】
0005424199.tif 000003
【図３】
0005424199.tif 000004
【図４】
0005424199.tif 000005
【図５】
0005424199.tif 000006
【図６】
0005424199.tif 000007
【図７】
0005424199.tif 000008
【図８】
0005424199.tif 000009
【図９】
0005424199.tif 000010
【図１０】
0005424199.tif 000011
【図１１】
0005424199.tif 000012
【図１２】
0005424199.tif 000013
【図１３】
0005424199.tif 000014
【図１４】
0005424199.tif 000015